(57)【要約】【課題】デジタルプレディストーション送信機及びその制御方法を提供する。【解決手段】かかる送信機は、プレディストーション処理に必要なプレディストーション係数を更新し、ベースバンド信号に対して前記プレディストーション処理を行うプレディストーションユニット；前記プレディストーション処理後のベースバンド信号に対して信号処理及び送信を行う信号処理及び送信ユニット；及び、前記信号処理及び送信ユニットが送信した信号のフィードバック信号を処理し、処理後の前記フィードバック信号を用いて、前記信号処理及び送信ユニット中の大電力増幅器に動的ドレイン電圧を提供するフィードバック信号処理ユニットを含む。前記プレディストーションユニットは、前記フィードバック信号処理ユニットが処理した後の前記フィードバック信号を用いて前記プレディストーション係数を更新する【選択図】図１
2015056900.tif 000002
【特許請求の範囲】
【請求項１】
デジタルプレディストーション送信機であって、
プレディストーション処理に必要なプレディストーション係数を更新し、ベースバンド信号に対して前記プレディストーション処理を行うプレディストーションユニット；
前記プレディストーション処理後のベースバンド信号に対して信号処理及び送信を行う信号処理及び送信ユニット；及び
前記信号処理及び送信ユニットが送信した信号のフィードバック信号を処理し、処理後の前記フィードバック信号を用いて、前記信号処理及び送信ユニット中の大電力増幅器に動的ドレイン電圧を提供するフィードバック信号処理ユニットを含み、
前記プレディストーションユニットは、前記フィードバック信号処理ユニットが処理した後の前記フィードバック信号を用いて前記プレディストーション係数を更新する、送信機。
【請求項２】
請求項1に記載のデジタルプレディストーション送信機であって、
前記フィードバック信号処理ユニットは、
前記フィードバック信号を、中心周波数がゼロであるベースバンド信号に変換する周波数混合器；
前記周波数混合器処理後の前記フィードバック信号のバンド内パワー、又は、前記バンド内パワーを反映する電圧信号、及び、バンド外パワーを計算するパワー計算器であって、前記バンド外パワーは、前記プレディストーション係数を更新するために用いられる、パワー計算器；
前記バンド内パワー、又は、前記バンド内パワーを反映する電圧信号に基づいて、パルス幅変調信号を生成するパルス幅変調信号生成器；及び
前記パルス幅変調信号に基づいて、前記動的ドレイン電圧を生成する降圧型変換器を含む、送信機。
【請求項３】
請求項2に記載のデジタルプレディストーション送信機であって、
前記パルス幅変調信号生成器は、
前記バンド内パワーを前記大電力増幅器の出力パワーにマッピングするパワーマッピング器；
前記出力パワー、及び、予め保存された前記出力パワーと数値Nとの対応関係に基づいて前記数値Nを確定する処理器であって、Nは、M個の連続するクロックシーケンス中のハイレベルの数を表し、Mは、クロック信号の周波数をパルス幅変調信号周波数で除算することにより得られた値を表し、M及びNは、ゼロよりも大きい整数である、処理器；
前記出力パワーと前記数値Nとの対応関係を記憶する記憶器；及び
前記数値N及び前記クロック信号に基づいて前記パルス幅変調信号を生成するカウンターを含む、送信機。
【請求項４】
請求項2に記載のデジタルプレディストーション送信機であって、
前記パルス幅変調信号生成器は、
前記バンド内パワーを反映する電圧信号に対して平均化処理を行い、平均化電圧信号を出力する信号平均化器；
前記平均化電圧信号に対して増幅処理を行い、増幅信号を生成する信号利得器；
前記パルス幅変調信号と同じ周波数を有する三角波を生成する三角波生成器；及び
前記増幅信号の振幅と、前記三角波の振幅とを比較し、前記パルス幅変調信号を生成する比較器を含む、送信機。
【請求項５】
請求項2に記載のデジタルプレディストーション送信機であって、
環境温度を検出する温度センサーを更に含み、
前記パルス幅変調信号生成器は、更に、前記バンド内パワー又は前記バンド内パワーを反映する電圧信号、及び、前記温度センサーにより検出された温度に基づいて、前記パルス幅変調信号を生成する、送信機。
【請求項６】
請求項3に記載のデジタルプレディストーション送信機であって、
前記パルス幅変調信号生成器は、
環境温度を検出する温度センサーを更に含み、
前記処理器は、前記出力パワー、前記環境温度、並びに、予め保存された前記出力パワー、前記環境温度、及び数値Nの間の対応関係に基づいて前記数値Nを確定する、送信機。
【請求項７】
請求項4に記載のデジタルプレディストーション送信機であって、
前記パルス幅変調信号生成器は、
環境温度を検出する温度センサーを更に含み、
前記信号利得器は、前記平均化電圧信号、前記環境温度、並びに、前記平均化電圧信号、前記環境温度、及び利得係数との間の対応関係に基づいて利得係数を確定し、前記利得係数に基づいて前記平均化電圧信号に対して増幅処理を行い、前記増幅信号を生成する、送信機。
【請求項８】
デジタルプレディストーション送信機の制御方法であって、
プレディストーション処理に必要なプレディストーション係数を更新し、ベースバンド信号に対して前記プレディストーション処理を行い；
前記プレディストーション処理後のベースバンド信号に対して信号処理及び送信を行い；及び
前記送信された信号のフィードバック信号に対して処理を行い、処理後の前記フィードバック信号を用いて、前記信号処理を行うための大電力増幅器に動的ドレイン電圧を提供すあることを含み、
処理後の前記フィードバック信号を用いて、前記プレディストーション係数を更新する、方法。
【請求項９】
請求項8に記載のデジタルプレディストーション送信機の制御方法であって、
前記送信された信号のフィードバック信号に対して処理を行い、処理後の前記フィードバック信号を用いて、前記信号処理を行うための大電力増幅器に動的ドレイン電圧を提供することは、
前記フィードバック信号に対して周波数混合処理を行い、前記フィードバック信号を、中心周波数がゼロであるベースバンド信号に変換し；
前記周波数混合処理後の前記フィードバック信号のバンド内パワー又は前記バンド内パワーを反映する電圧信号を計算し；
前記バンド内パワー又は前記バンド内パワーを反映する電圧信号に基づいてパルス幅変調信号を生成し；及び
前記パルス幅変調信号に基づいて前記動的ドレイン電圧を生成することを含む、方法。
【請求項１０】
請求項9に記載のデジタルプレディストーション送信機の制御方法であって、
環境温度を検出し；及び
前記バンド内パワー又は前記バンド内パワーを反映する電圧信号、及び、検出された前記環境温度に基づいて前記パルス幅変調信号を生成することを更に含む、方法。
【発明の詳細な説明】
【技術分野】
【０００１】
本発明は、送信機技術に関し、特に、デジタルプレディストーション（DPD、Digital  Pre-Distortion）の基地局送信機及びその制御方法に関する。
【背景技術】
【０００２】
通信技術の発展、特にブロードバンド通信技術の高速発展に伴って、各種の高周波数スペクトル効率の変調方式が幅広く用いられているが、そのうちのPAPR（Peak-to-Average  Power  Ratio）問題により、大電力増幅器(HPA)の線形化技術への要求が高くなっている。
【０００３】
大電力増幅器の線形化技術のうち、デジタルプレディストーション（DPD、Digital  Pre-Distortion）技術は、幅広く用いられており且つ有効な方法の一つであり、その基本原理は、送信信号を大電力増幅器に入力する前に大電力増幅器の非線形特性とは逆のプレディストーション器に入力させ、送信信号に対してプレディストーション処理を行うことにより、プレディストーション設備（例えば、送信機システム）全体の非線形特性を改善し、システム全体にできるだけ線形特性を持たせるとのことである。
【０００４】
また、大電力増幅器の効率を向上させるために、簡単で且つ有効な方法としては電源変調技術があり、その基本原理は、大電力増幅器の出力パワーの大小（サイズ）に基づいて動的に大電力増幅器のドレインバイアス電圧を調整し、パワー出力が小さい時の直流パワー消耗を軽減することにより、システム全体の効率を向上させるとのことである。
【発明の概要】
【発明が解決しようとする課題】
【０００５】
発明者は、従来の大電力増幅器に用いる電圧変調方法が次のような欠点を有することを発見した。
【０００６】
エンベロープトラッキング（Envelope  Tracking）増幅器では、大電力増幅器に入力する前のエンベロープ情報に基づいて、パワー増幅器のドレイン電圧をリアルタイムに調整することができるが、伝送信号のバンド幅がDC-DC変換器のスイッチングレートにより制限され；幾つかのパワートラッキングによる動的電圧方法では、伝送パワー制御（TPC、Transmission  Power  Control）信号により、大電力増幅器の出力パワーを制御し得るが、大電力増幅器が出力する実際のパワー値を正確に把握することができず；幾つかの方法では、デジタルアナログ変換器（DAC、Digital  to  Analog  Converter）を用いてデジタル制御信号をアナログ信号に変換する必要があるので、システムのハードウェアコストが高くなり；また、幾つかの方法では、ベクトルDPDを採用して大電力増幅器の非線形を改善するために、厳格な同期及び複雑なアルゴリズムを要するので、システムのコスト及び複雑度が同様に高くなる。
【０００７】
本発明の実施例は、大電力増幅器の効率を向上させ、送信機の線形性を改善することができるデジタルプレディストーション送信機及びその制御方法を提供することにある。
【課題を解決するための手段】
【０００８】
本発明の実施例の一側面によれば、デジタルプレディストーション送信機が提供され、前記デジタルプレディストーション送信機は、
プレディストーション処理に必要なプレディストーション係数を更新し、ベースバンド信号に対してプレディストーション処理を行うプレディストーションユニット、
前記プレディストーションにより処理されたベースバンド信号に対して信号処理及び送信を行う信号処理及び送信ユニット、及び
前記信号処理及び送信ユニットが送信した信号のフィードバック信号に対して処理を行い、処理後の前記フィードバック信号を用いて前記信号処理及び送信ユニット中の大電力増幅器に動的ドレイン電圧を提供するフィードバック信号処理ユニットを含み、
そのうち、前記プレディストーションユニットは、前記フィードバック信号処理ユニットが処理した後の前記フィードバック信号を用いて前記プレディストーション係数を更新する。
【０００９】
本発明の有益な効果は、送信信号のフィードバック信号に対して処理を行い、処理後のフィードバック信号を用いて大電力増幅器のドレイン電圧に対して制御を行い、これにより、大電力増幅器の効率を向上させることができる。また、処理後のフィードバック信号を用いてプレディストーションユニットのプレディストーション係数に対して更新を行い、これにより、大電力増幅器の線形性をより一層改善することができる。
【図面の簡単な説明】
【００１０】
【図１】本発明の実施例1におけるデジタルプレディストーション送信機の構成図である。
【図２】本発明の実施例2におけるデジタルプレディストーション送信機の構成図である。
【図３】周波数混合器前後の信号周波数スペクトルを示す図である。
【図４】本発明の実施例2におけるパワー計算器の構成図である。
【図５】本発明の実施例2におけるパワー計算器の他の構成図である。
【図６】本発明の実施例2のパルス幅変調信号生成器の構成図である。
【図７】出力パワー及びルックアップテーブルに基づいてN値をルックアップすることを示す図である。
【図８】本発明の実施例3におけるパルス幅変調信号生成器の構成図である。
【図９】PWM信号のデューティレシオの生成原理を示す図である。
【図１０】本発明の実施例4におけるデジタルプレディストーション送信機の構成図である。
【図１１】本発明の実施例4におけるパルス幅変調信号生成器の構成図である。
【図１２】本発明の実施例4におけるパルス幅変調信号生成器の他の構成図である。
【図１３】本発明の実施例5におけるデジタルプレディストーション送信機の制御方法のフローチャートである。
【図１４】本発明の実施例5におけるフィードバック信号を処理して動的ドレイン電圧を提供する方法のフローチャートである。
【図１５】本発明の実施例5におけるバンド内パワー又はバンド内パワーを反映する電圧信号を計算する方法のフローチャートである。
【図１６】本発明の実施例5におけるバンド内パワーを計算する方法の他のフローチャートである。
【図１７】本発明の実施例5におけるパルス幅変調信号を生成する方法のフローチャートである。、
【図１８】本発明の実施例5におけるパルス幅変調信号を生成する方法の他のフローチャートである。
【図１９】本発明の実施例6におけるパルス幅変調信号を生成する方法のフローチャートである。
【図２０】本発明の実施例6におけるパルス幅変調信号を生成する方法の他のフローチャートである。
【発明を実施するための形態】
【００１１】
以下、添付した図面を参照しながら本発明を実施するための形態を詳細に説明する。
【実施例１】
【００１２】
図1は、本発明の実施例1に係るデジタルプレディストーション送信機の構成図である。図1に示すように、デジタルプレディストーション送信機100は、プレディストーションユニット101、信号処理及び送信ユニット102、及びフィードバック信号処理ユニット103を含む。
【００１３】
そのうち、プレディストーションユニット101は、プレディストーション処理に必要なプレディストーション係数を更新し、ベースバンド信号に対してプレディストーション処理を行い；信号処理及び送信ユニット102は、プレディストーション処理後のベースバンド信号に対して信号処理及び送信を行い；フィードバック信号処理ユニット103は、信号処理及び送信ユニット102が送信した信号のフィードバック信号を処理し、処理後のフィードバック信号を利用して信号処理及び送信ユニット102中の大電力増幅器に動的ドレイン電圧を提供する。
【００１４】
プレディストーションユニット101がプレディストーション処理を行い、信号処理及び送信ユニット102が信号処理及び送信を行うことは、従来の任意の技術により実現され得るので、ここでは詳しい説明を省略する。
【００１５】
本実施例では、フィードバック信号処理ユニット103は、信号処理及び送信ユニット102の出力端のＲＦ（radio  frequency）信号に対しいてカップリングを行い、フィードバック信号を取得し；且つ、フィードバック信号処理ユニット103は、更に、フィードバック信号を処理し、そして、処理後のフィードバック信号を利用して信号処理及び送信ユニット102中の大電力増幅器に動的ドレイン電圧を提供する。
【００１６】
本実施例では、フィードバック信号処理ユニット103は、フィードバック信号を処理することにより、フィードバック信号のバンド内（in-band）パワー又は該バンド内パワーを反映する電圧信号を得ることができ、該バンド内パワー又は該バンド内パワーを反映する電圧信号は、大電力増幅器に動的ドレイン電圧を提供することができる。
【００１７】
また、本実施例では、フィードバック信号処理ユニット103は、フィードバック信号を処理することにより、フィードバック信号のバンド外（out-band）パワーを得ることもでき、そのうち、バンド外パワーは、図1の点線に示すように、プレディストーションユニット101に送信され、プレディストーションユニット101のプレディストーション係数を更新することができる。
【００１８】
上述の実施例から分かるように、送信信号のフィードバック信号を処理し、処理後のフィードバック信号を用いて大電力増幅器のドレイン電圧を制御することにより、大電力増幅器の効率を向上させることができる。また、処理後のフィードバック信号を用いてプレディストーションユニットのプレディストーション係数を更新することにより、大電力増幅器の線形性をより一層改善することもできる。
【実施例２】
【００１９】
図2は、本発明の実施例2に係るデジタルプレディストーション送信機の構成図である。それは、実施例1に基づくものであり、図2に示すように、デジタルプレディストーション送信機100では、信号処理及び送信ユニット102は、デジタルアナログ変換器（DAC、Digital  Analog  Converter）1021、直交変調器（QMOD、Quadrature  Modulator）1022、可変利得増幅器（VGA、Variable  Gain  Amplifier）1023、及び大電力増幅器（HPA、High  Power  Amplifier）1024を含む。
【００２０】
図2に示すように、プレディストーション器101により処理された後のベースバンド信号は、デジタルアナログ変換器1021、直交変調器1022、及び可変利得増幅器1023を経由して大電力増幅器1024に送信されて増幅処理され、増幅処理された後の信号は送信される。信号処理及び送信ユニット102中の各ユニットの稼働原理については、従来の任意の技術により実現され得るので、ここでは詳しい説明を省略する。
【００２１】
本実施例では、図2に示すように、フィードバック信号処理ユニット103は、周波数混合器201、パワー計算器202、パルス幅変調信号生成器203、及び降圧型変換器204を含む。
【００２２】
そのうち、周波数混合器201は、フィードバック信号を、中心周波数がゼロであるベースバンド信号に変換し；パワー計算器202は、周波数混合器201により処理された後のフィードバック信号（即ち、中心周波数がゼロであるベースバンド信号であり、ゼロ-センター-周波数ベースバンド信号とも称される）のバンド内パワー又は該バンド内パワーを反映する電圧信号、及び、バンド外パワーを計算し；パルス幅変調（PWM）信号生成器203は、バンド内パワー又は該バンド内パワーを反映する電圧信号に基づいて、パルス幅変調信号を生成し；降圧型変換器204は、パルス幅変調信号に基づいて動的ドレイン電圧を生成する。
【００２３】
図3は、周波数混合器前後の信号周波数スペクトルを示す図である。図3に示すように、処理前のフィードバック信号の中心周波数は、ＬＯ（local  oscillation）信号LOの周波数とは同じでり、ともにfloであり；周波数混合器201処理後のフィードバック信号は、中心周波数がゼロであるベースバンド信号に変換され、即ち、ゼロ-センター-周波数ベースバンド信号である。
【００２４】
本実施例では、周波数混合器201処理後のフィードバック信号は、パワー計算器202に入力される。パワー計算器202では、ゼロ-センター-周波数ベースバンド信号を計算することにより、該ゼロ-センター-周波数ベースバンド信号のバンド内パワーを計算する。以下、図4及び図5を基に、パワー計算器202について説明する。なお、該バンド内パワーを計算する方法は、本発明の実施例における方法に限定されない。
【００２５】
図4は、本発明の実施例2に係るパワー計算器の構成図である。図4に示すように、パワー計算器202は、ローパスフィルタ401、第一パワー計算器402、バンドパスフィルタ403、及び第二パワー計算器404を含む。
【００２６】
そのうち、ローパスフィルタ401は、ゼロ-センター-周波数ベースバンド信号に対してローパスフィルタリングを行い；第一パワー計算器402は、ローパスフィルタリング後の信号に基づいて、バンド内パワーを計算し；バンドパスフィルタ403は、ゼロ-センター-周波数ベースバンド信号に対してバンドパスフィルタリングを行い；第二パワー計算器404は、バンドパスフィルタリング後の信号に基づいて、バンド外パワーを計算する。
【００２７】
本実施例では、ローパスフィルタ401は、アナログローパスフィルタ（ALPF、Analog  Low  Pass  Filter）であってもよく、該アナログローパスフィルタのカットオフ周波数は、f1であり、バンド幅は、BWmainであり、該アナログローパスフィルタのフィルタリングにより、該ゼロ-センター-周波数ベースバンド信号の主チャネルバンド内パワー信号を得ることができる。
【００２８】
第一パワー計算器402は、アナログローパスフィルタにより得られた主チャネルバンド内パワー信号に対して計算を行うことにより、バンド内パワーを取得する。一つの具体的な例では、第一パワー計算器402は、受信信号強度指示器（RSSI、Received  Signal  Strength  Indicator）4021、アナログデジタル変換器4022、及びバンド内パワー計算器4023を含んでもよい。そのうち、受信信号強度指示器4021は、主チャネルバンド内パワー信号の強度情報を抽出し；アナログデジタル変換器4022は、周波数為がfsであるサンプリング制御信号（図示せず）の制御の下で、該強度情報をデジタル量に変換し；バンド内パワー計算器4023は、モジュール値、平方、平均値及び対数を計算することにより、バンド内パワーを得る。
【００２９】
本実施例では、第一パワー計算器402は、バンド内パワー計算器4023を有しなくてもよく、この場合、直接、アナログデジタル変換器4022の出力を、バンド内パワーを反映する電圧信号とし、具体的に該電圧信号を使用する時に、該電圧信号に対して平均化処理を行ってもよい。
【００３０】
この例では、バンドパスフィルタ403は、アナログバンドパスフィルタ（ABPF、Analog  Band  Pass  Filter）であってもよく、該アナログバンドパスフィルタのアッパーサイドバンドカットオフ周波数及びローワーサイドバンドカットオフ周波数は、それぞれ、f1及びf2であり、バンド幅は、BW3rdであり、該アナログバンドパスフィルタのフィルタリングにより、ゼロ-センター-周波数ベースバンド信号の三次（third  order）パワー信号を得ることができる。
【００３１】
第二パワー計算器404は、アナログバンドパスフィルタにより得られたパワー信号に対して計算を行うことにより、バンド外パワーを取得し、該バンド外パワーは、バンド外の三次パワーであってもよい。本実施例では、第二パワー計算器404は、受信信号強度指示器RSSI4041、アナログデジタル変換器4042、及びバンド外パワー計算器4043を含んでもよい。そのうち、受信信号強度指示器RSSI4021は、三次パワー信号の強度情報を抽出し；アナログデジタル変換器4042は、該強度情報をデジタルサンプリング信号に変換し、該デジタルアナログ変換器4042は、周波数がfsであるサンプリング制御信号（図示せず）の制御の下で稼働することもでき；バンド外パワー計算器4043は、デジタルサンプリング信号に基づいて、フィードバック信号のバンド外三次パワーを計算し、該バンド外三次パワーの計算方法は、バンド内パワー計算器4023とは同じであってもよい。
【００３２】
図5は、本発明の実施例2に係るパワー計算器の他の構成図である。図5に示すように、パワー計算器202は、アナログデジタル変換器501、高速フーリエ変換器502、バンド内パワー計算器503、及びバンド外パワー計算器504を含む。
【００３３】
そのうち、アナログデジタル変換器501は、周波数混合器処理後のフィードバック信号に対してアナログデジタル変換を行うことにより、デジタルサンプリング信号を生成し；高速フーリエ変換器502は、デジタルサンプリング信号に対して高速フーリエ変換を行い；バンド内パワー計算器503は、高速フーリエ変換後の信号に基づいて、バンド内パワーを計算し；バンド外パワー計算器504は、高速フーリエ変換後の信号に基づい、バンド外パワーを計算する。
【００３４】
本実施例では、アナログデジタル変換器501は、ゼロ-センター-周波数ベースバンド信号をデジタルサンプリング信号に変換し、該デジタルサンプリング信号は、高速フーリエ変換器５０２に送信されてフーリエ変換され；フーリエ変換後の信号は、バンド内パワー計算器503に送信され、バンド内パワーを生成するために用いられ；該バンド外パワー計算器504は、フーリエ変換後の信号に対して計算を行い、バンド外パワーを取得し、具体的に言えば、該バンド外パワーは、バンド外三次パワーであってもよい。アナログデジタル変換器501、高速フーリエ変換器502、バンド内パワー計算器503、及びバンド外パワー計算器504の具体的な稼働方法については、従来技術に類似するため、ここでは詳しい説明を省略する。
【００３５】
本実施例では、パルス幅変調信号生成器203は、パワー計算器により得られたバンド内パワーに基づいて、パルス幅変調信号を生成する。以下、図面に基づいて、パルス幅変調信号の生成について説明を行う。
【００３６】
図6は、本発明の実施例2に係るパルス幅変調信号生成器の構成図である。図6に示すように、パルス幅変調信号生成器203は、パワーマッピング器601、処理器602、記憶器603、及びカウンター604を含む。
【００３７】
そのうち、パワーマッピング器601は、バンド内パワーを大電力増幅器の出力パワーにマッピングし；処理器602は、出力パワー、及び、予め保存された出力パワーと数値Nとの対応関係に基づいて数値Nを確定し、そのうち、Nは、Ｍ個の連続するのクロックシーケンス中のハイレベルの数を示し、Mは、クロック信号の周波数をパルス幅変調信号周波数で除算することにより得られた値を示し、M及びNはともにゼロよりも大きい整数であり、且つ、N≦Mでり；記憶器603は、出力パワーと数値Nとの対応関係を記憶し；カウンター604は、数値N及びクロック信号に基づいてパルス幅変調信号を生成する。
【００３８】
パルス幅変調（PWM、Pulse  Width  Modulation）信号は、一種のデューティレシオ可変の方形波信号である。デューティレシオの計算公式は、D=(N/M)*100%であり、そのうち、Mは、クロック信号の周波数をPWM信号周波数で除算した値を示し、デューティレシオパラメータNは、M個の連続するクロックシーケンス中の連続するハイレベルの数を示す。クロック周波数及びPWM信号周波数が固定（即ちMが固定）である場合、Nを調整することにより、PWM信号の波形を制御することができる。
【００３９】
本実施例では、パワーマッピング器601は、バンド内パワーと、増幅器の出力パワーとの間のマッピング関係に基づいて、バンド内パワーを増幅器の出力パワーPoutにマッピングし、そのうち、Poutの単位はdBmであり、且つ、Poutの範囲はP0〜Pn(dBm)である。具体的な実現に当たって、パワーマッピング器601は、周波数がfsであるサンプリング制御信号の制御の下で、パワーマッピングの計算を行ってもよい。
【００４０】
本実施例では、記憶器603は、予め、増幅器の出力パワーと、数値Nとの対応関係のルックアップテーブル（LUT、Look-Up  Table）を記憶している。
【００４１】
本実施例では、多種な方法で上述のルックアップテーブルを生成することができる。例えば、操作が便利になるために、デジタルプレディストーション送信機100の内部の処理器に入力増幅器の出力パワーと数値Nとの対応関係を入力することにより、上述のルックアップテーブルを生成し、そして、該ルックアップテーブルを記憶器603に記憶させてもよく；また、デジタルプレディストーション送信機100の操作が簡単になるために、デジタルプレディストーション送信機100の外部の汎用処理器において上述のルックアップテーブルを生成し、そして、データ通信インターフェースにより、該ルックアップテーブルを記憶器603に入力及び記憶させてもよい。もちろん、ルックアップテーブルの生成方法は、上述の説明に限定されない。
【００４２】
具体的な例では、n+1個の離散のパワー値を用いて出力パワーの範囲P0〜Pn(dBm)を表し、即ち、（P0、P0+Δ、P0+2Δ、・・・・・・、P0+nΔ）であり；そのうち、隣接する２つのパワー値の間隔は、ΔdBmであり、且つ、P0+nΔ=Pnである。該ルックアップテーブルには、上述のn+1個の離散のパワー値と、デューティレシオパラメータNとの間の対応関係が記憶され、例えば、パワー値を記憶器のアドレスとし、該アドレス中に対応するNを記憶することにより、パワー値とNとのルックアップテーブルを構築することができる。
【００４３】
処理器602では、パワーマッピング器601により得られた出力パワーPoutに基づいて、記憶器603のルックアップテーブルに対してルックアップを行うことで、該出力パワーに対応するデューティレシオパラメータNを得る。具体的な例では、例えば、P0＜Pout≦（P0+Δ）の時に、該Poutを該区間の大きい数値（P0+Δ）として対応させ、（P0+Δ）に対応するN値を、該Poutに対応するN値としてもよく；同様に、Poutが他のパワー値の区間に在る時に、対応するN値を得る方法は同じでであり、即ち、(P0+kΔ)＜Pout≦{P0+(k+1)Δ}の時（そのうち、kは正整数であり、且つ0＜k≦nである）に、該Poutを、大きい数値{P0+(k+1)Δ}として対応させ、{P0+(k+1)Δ}に対応するN値を、該Poutに対応するN値としてもよく；また、Pout＜P0の時に、P0に対応するN値を、該Poutに対応するN値としてもよく；Pout＞Pnの時に、Pnに対応するN値を、該Poutに対応するN値としてもよい。具体的な実現に当たって、処理器602は、周波数がfsであるサンプリング制御信号の制御の下で稼働することができる。
【００４４】
上述の例では、Poutを区間P0〜（P0+Δ）の中の数値が大きい（P0+Δ）にマッピングすることは、システム線形性への考慮によることであり、即ち、マッピングする数値が大きいほど、提供するドレイン電圧が高く且つシステムの線形性がよい。さもなければ、システムの線形性指標への要求に満たすことができない。
【００４５】
図7は、出力パワー及びルックアップテーブルに基づいてN値をルックアップすることを示す図である。図7に示すように、処理器602は、記憶器のアドレスとしてのパワー値に基づいて、記憶器603のルックアップテーブルから、出力パワーPoutに対応するN値を読み出す。
【００４６】
数値Nを得た後に、カウンター604は、数値N及びクロック信号に基づいてPWM信号を生成する。具体的には、図6に示すように、周波数がfclkであるクロック信号の制御の下で、カウンター604は、デューティレシオパラメータNに基づいて、M個の連続するクロックシーケンスに中においてN個の連続するハイレベル及び（M-N）個の連続するローレベルを生成し、大電力増幅器出力パワーPout(dBm)に対応するPWM信号を生成する。出力されたPWMは、デジタル信号であり、ローレベル0又はハイレベル1であり、そのため、該PWM信号は1個のbitを占める。そのうち、該クロック信号を生成するためのクロックは、該デジタルプレディストーション送信機100中の固有のシステムクロックを使用してもよく、又は、パルス幅変調信号生成器203にクロックを更に設置して該クロック信号を生成してもよい。
【００４７】
上述の実施例では、記憶器603には、出力パワーとNとのルックアップテーブルが記憶されており、このようにして、パワーマッピング器601は、バンド内パワーを大電力増幅器の出力パワーに変換する必要がある。しかし、他の例では、記憶器603にバンド内パワーとN値とのルックアップテーブルを記憶してもよく、このようにして、パワーマッピング器601を設ける必要がなく、直接、バンド内パワー及び該ルックアップテーブルに基づいて、該バンド内パワーに対応するN値を取得し、そして、該バンド内パワーに対応するPWM信号を取得してもよい。
【００４８】
この例では、図2に示すように、パルス幅変調信号生成器203が生成したPWM信号が降圧型変換器（Buck  Converter）204に入力され、該降圧型変換器204は、直流電源（DC、Direct  Current）の下で稼働し、また、該PWM信号に基づいて、大電力増幅器1024用の動的ドレイン電圧を生成する。降圧型変換器204の稼働方式は、従来技術に類似するため、ここでは詳しい説明を省略する。
【００４９】
上述の実施例から分かるように、デジタルプレディストーション送信機100は、フィードバック信号のバンド内パワーに基づいて大電力増幅器の出力パワーを計算し、これにより、大電力増幅器のドレインバイアス電圧を調整することができるので、パワートラッキングに基づいてドレインバイアス電圧を調整することができる。よって、該方法は、パワー変化レートへ要求が高くなく、且つ、正確な大電力増幅器の出力パワー値を得ることができ；且つ、フィードバックにより得られたバンド内パワーに基づいてデジタル領域において1bitのPWM制御信号を生成するため、方法は簡単で且つ容易に実現することができ、また、DACの使用を避けることができるため、システムのハードウェアコストを軽減することができる。また、プレディストーションユニット及び降圧型変換器を共に使用し、また、フィードバック信号のバンド外パワーを用いてプレディストーションユニットが使用するプレディストーション係数を更新することにより、動的バイアス電圧による大電力増幅器の非線形を改善し、大電力増幅器の効率をより一層向上させることができる。
【実施例３】
【００５０】
本発明の実施例3は、デジタルプレディストーション送信機を提供し、それは、実施例2に基づくものであり、実施例2とは同じ内容はここでは省略する。
【００５１】
本実施例では、実施例2との相違点は、採用するパルス幅変調信号生成器が異なり、且つ、該パルス幅変調信号生成器が、パワー計算器により得られた、バンド内パワーを反映する電圧信号に基づいてパルス幅変調信号を生成することにある。
【００５２】
以下、図面に基づいて本発明の実施例におけるパルス幅変調信号生成器について説明する。
【００５３】
図8は、本発明の実施例3に係るパルス幅変調信号生成器の構成図である。図8に示すように、パルス幅変調信号生成器303は、信号平均化器801、信号利得器802、三角波生成器803、及び比較器804を含む。
【００５４】
そのうち、信号平均化器801は、バンド内パワーを反映する電圧信号に対して平均化処理を行うことにより、平均化電圧信号を出力し；信号利得器802は、平均化電圧信号に対して増幅処理を行うことにより、増幅信号を生成し；三角波生成器803は、パルス幅変調信号とは同じ周波数を有する三角波を生成し；比較器804は、増幅信号の振幅と三角波の振幅とを比較することにより、パルス幅変調信号を生成する。
【００５５】
本実施例では、バンド内パワーを反映する電圧信号は、バンド内パワーに関連する電圧信号であってもよく、例えば、図4に示すような受信信号強度指示器（RSSI）4021及びアナログデジタル変換器4022により処理された後の信号であってもよい。
【００５６】
信号平均化器801は、バンド内パワーを反映する電圧信号に対して平均化処理を行い、電圧信号が生じた波動を消去し、そして、平均化電圧信号を出力する。
【００５７】
信号利得器802は、平均化電圧信号に対して増幅処理を行い、増幅信号を生成する。一例では、信号利得器802は、平均化電圧信号に利得係数αを乗算し、増幅信号Voutを得る。
【００５８】
三角波生成器803は、周波数がfsであるサンプリング制御信号を制御信号として用い、パルス幅変調信号とは同じ周波数の三角波を生成することができる。
【００５９】
本実施例では、三角波生成器803の構成部分には累算器（図示せず）を含んでもよく、該累算器により、振幅がVtriである三角波信号を生成し、且つ、三角波信号の周波数ftriを、PWM信号の周波数fpwmと同じように設定する。
【００６０】
本実施例では、比較器804は、増幅信号Voutの振幅と、三角波の振幅Vtriとを比較し、PWM信号を生成する。PWM信号の生成方法は、次の通りであってもよい。
【００６１】
VoutがVtriよりも大きいとき、ハイレベルを出力し；
VoutがVtriよりも小さいとき、ローレベルを出力する。
【００６２】
本実施例では、該パルス幅変調信号生成器303は更に記憶器805を有してもよく、記憶器805は、平均化電圧信号と、利得係数αとの間の対応関係のルックアップテーブルを予め記憶している。信号利得器802は、平均化電圧信号及び記憶器805中のルックアップテーブルに基づいて、利得係数αを確定する。
【００６３】
実施例2に類似するように、平均化電圧信号を記憶器805のアドレスとし、該アドレス中に対応するαを保存することにより、平均化電圧信号とαとのルックアップテーブルを構築することができる。もちろん、本実施例では、多種な方法で上述のルックアップテーブルを生成することができる。例えば、操作が便利になるために、デジタルプレディストーション送信機の内部の処理器に、平均化電圧信号と利得係数αとの対応関係を入力し、上述のルックアップテーブルを生成し、そして、該ルックアップテーブルを記憶器805に記憶させてもよく；また、デジタルプレディストーション送信機の操作が簡単になるために、デジタルプレディストーション送信機の外部の通用処理器において、上述のルックアップテーブルを生成し、そして、データ通信インターフェースにより、ルックアップテーブルを記憶器805に入力及び記憶させてもよい。もちろん、ルックアップテーブルの生成方法は、上述の説明に限定されない。
【００６４】
具体的に該ルックアップテーブルを構築する時に、図9に示すようなPWM信号デューティレシオの生成原理図に基づいて利得係数αを計算することができる。図9に示すように、T1、T2、及びT3はともに時間間隔であり、そのうち、T1及びT3は、増幅信号Voutの電圧値が三角波幅度Vtriよりも小ちい時間間隔であり、T2は増幅信号Voutの電圧値が三角波幅度Vtriよりも大きい時間間隔である。平均化電圧信号が増幅器出力パワーに対応し、各出力パワーが、一つの効率が最適な動的バイアス電圧に対応し、該動的バイアス電圧がPWM信号のデューティレシオに対応するため、三角波の幅度Vtriを確定した後に、増幅信号Voutの電圧値の大小は、該PWM信号のデューティレシオDを決定し、即ち、D=T2/(T3+T2)）である。よって、該デューティレシオの生成に必要な増幅信号Voutの電圧値を平均化電圧信号の電圧値で除算することにより、利得係数αを取得でき、これにより、該平均化電圧信号とαとのマッピング関係を取得し、そして、該マッピング関係をルックアップテーブルに予め保存させる。
【００６５】
上述の実施例から分かるように、フィードバックにより得られた、バンド内パワーを反映する電圧信号を増幅処理した後に三角波と比較し、デジタル領域において1bitのPWM制御信号を生成することができる。よって、このような方法は、簡単で且つ容易に実現することができ、また、デジタルアナログ変換器の使用を避けることができ、システムのハードウェアコストを軽減することができる。
【実施例４】
【００６６】
本発明の実施例4は、デジタルプレディストーション送信機を提供し、それは、実施例1、2、3に基づくものであるため、実施例1、2、3とは同じ内容はここでは省略する。
【００６７】
図10は、本発明の実施例4に係るデジタルプレディストーション送信機の構成図であり、実施例1及び実施例2、3に比べ、図10のデジタルプレディストーション送信機200は更に温度センサー1001を有し、該温度センサー1001は、環境温度を検出する。
【００６８】
この場合のパルス幅変調信号生成器1002と実施例2及び実施例3との相違点は、パルス幅変調信号生成器1002は、バンド内パワー及び温度センサーにより検出された温度に基づいてパルス幅変調信号を生成することにある。このようにして、温度センサー1001により検出された環境温度をも考慮してパルス幅変調信号を生成することにより、動的ドレインバイアス電圧をより正確に調整することができる。
【００６９】
他の例では、該温度センサー1001は、パルス幅変調信号生成器203の中に設けられてもよい。
【００７０】
図11は、本発明の実施例4に係るパルス幅変調信号生成器の構成図であり、図11に示すように、パルス幅変調信号生成器1103は、パワーマッピング器601、処理器702、記憶器703、カウンター604、及び温度センサー1001を含む。
【００７１】
そのうち、パワーマッピング器601及びカウンター604の構造は、実施例1とは同じであり；記憶器703には、予め、出力パワー、環境温度及び数値Nの間の対応関係のルックアップテーブルを記憶しており；処理器702は、出力パワーPout及び環境温度に基づいて、記憶器703のルックアップテーブルからそれ相応の数値Nを見つけ出す。
【００７２】
図12は、本発明の実施例4に係るパルス幅変調信号生成器の他の構成図であり、図12に示すように、パルス幅変調信号生成器1203は、信号平均化器801、信号利得器902、三角波生成器803、比較器804、記憶器905、及び温度センサー1001を含む。
【００７３】
そのうち、信号平均化器801、三角波生成器803及び比較器804の構造は、実施例2とは同じであり；記憶器905は、予め平均化電圧信号、環境温度、及び利得係数αの間のマッピング関係のルックアップテーブルを記憶しており；信号利得器902は、平均化電圧信号及び環境温度に基づいて、記憶器905のルックアップテーブルを、それ相応の利得係数αを得るようにルックアップする。
【００７４】
本実施例では、デジタルプレディストーション送信機は更に温度センサーを有するので、バンド内パワー又はバンド内パワーを反映する電圧信号、及び、温度センサーにより検出された環境温度に基づいて、パルス幅変調信号を生成し、そして、動的ドレインバイアス電圧を生成することができる。よって、送信機のパワー及び環境温度に基づいて、動的ドレインバイアス電圧を調整することができる。
【実施例５】
【００７５】
本発明の実施例5は、デジタルプレディストーション送信機の制御方法を提供し、それは、実施例1、2、3のデジタルプレディストーション送信機に対応し、そのうち、実施例1、2、3とは同じである内容はここでは省略する。
【００７６】
図13は、本発明の実施例5に係るデジタルプレディストーション送信機の制御方法のフローチャートである。図13に示すように、該デジタルプレディストーション送信機の制御方法は、次のステップを含む。
【００７７】
ステップ1301：プレディストーション処理に必要なプレディストーション係数を更新し、また、ベースバンド信号に対してプレディストーション処理を行い；
ステップ1302：プレディストーション処理後のベースバンド信号に対して信号処理及び送信を行い；
ステップ1303：送信された信号のフィードバック信号を処理し、処理後のフィードバック信号を用いて、信号処理を行うための大電力増幅器に動的ドレイン電圧を提供する。
【００７８】
本実施例では、ステップ1301〜ステップ1303の具体的な実現方法については、実施例1、2、3中のプレディストーションユニット101、信号処理及び送信ユニット102、及びフィードバック信号処理ユニット103の実現方法の説明を参照することができる。具体的なの一例では、更に、ステップ1303で生成した処理後のフィードバック信号を用いて、プレディストーション係数を更新してもよい。
【００７９】
図14は、本発明の実施例5に係るフィードバック信号を処理するためのフローチャートである。図14に示すように、フィードバック信号を処理して動的ドレイン電圧を提供する方法は、次のステップを含む。
【００８０】
ステップ1401：フィードバック信号に対して周波数混合処理を行い、フィードバック信号を、中心周波数がゼロであるベースバンド信号に変換し；
ステップ1402：周波数混合処理後のフィードバック信号のバンド内パワー又はバンド内パワーを反映する電圧信号を計算し；
ステップ1403：バンド内パワー又はバンド内パワーを反映する電圧信号に基づいてパルス幅変調信号を生成し；
ステップ1404：パルス幅変調信号に基づいて前記動的ドレイン電圧を生成する。
【００８１】
本実施例では、ステップ1401〜ステップ1404の具体的な実現方法については、実施例1中の周波数混合器201、パワー計算器202、パルス幅変調信号生成器203、及び降圧型変換器204の実現方法の説明を参照することができる。
【００８２】
図15は、本発明の実施例5に係るバンド内パワー又はバンド内パワーを反映する電圧信号を計算する方法のフローチャートである。図15に示すように、バンド内パワーの計算方法は、次のステップを含む。
【００８３】
ステップ1501：周波数混合処理後のフィードバック信号に対してローパスフィルタリングを行い；
ステップ1502：ローパスフィルタリング後の信号に基づいてバンド内パワー又はバンド内パワーを反映する電圧信号を計算する。
【００８４】
本実施例では、ステップ1501〜ステップ1502の具体的な実現方法については、実施例1中のローパスフィルタ401及び第一パワー計算器402の実現方法の説明を参照することができる。
【００８５】
他の例では、更に、図15の方法のうえで、周波数混合処理後のフィードバック信号に対してバンドパスフィルタリングを行い、バンドパスフィルタリング後の信号に基づいてバンド外パワーを計算し、そして、バンド外パワーに基づいてプレディストーション処理に必要なプレディストーション係数を更新してもよい。具体的には、実施例2中のバンドパスフィルタ403及び第二パワー計算器404の実現方法の説明を参照することができ、そのうち、該バンド外パワーは、バンド外三次パワーであってもよい。
【００８６】
図16は、本発明の実施例5に係るバンド内パワーを計算する方法の他のフローチャートである。図16に示すように、該バンド内パワーの計算方法は、次のステップを含む。
【００８７】
ステップ1601：周波数混合処理後の前記フィードバック信号に対してアナログデジタル変換を行い、デジタルサンプリング信号を生成し；
ステップ1602：デジタルサンプリング信号に対して高速フーリエ変換を行い；
ステップ1603：高速フーリエ変換後の信号に基づいてバンド内パワーを計算する。
【００８８】
本実施例では、ステップ1601〜ステップ1603の具体的な実現方法については、実施例2中のアナログデジタル変換器501、高速フーリエ変換器502、及びバンド内パワー計算器503の実現方法の説明を参照することができる。
【００８９】
他の例では、さらに、図16のバンド内パワーの計算方法のうえで、ステップ1602で高速フーリエ変換を行った後の信号に基づいてバンド外パワーを計算し、そして、該バンド外パワーに基づいて、プレディストーション処理に必要なプレディストーション係数を更新してもよく、具体的には、実施例2中のバンド外パワー計算器504の実現方法の説明を参照することができ、そのうち、該バンド外パワーは、バンド外三次パワーであってもよい。
【００９０】
図17は、本発明の実施例5に係るパルス幅変調信号を生成する方法のフローチャートである。図17に示すように、パルス幅変調信号の生成方法は、次のステップを含む。
【００９１】
ステップ1701：バンド内パワーを大電力増幅器の出力パワーにマッピングし；
ステップ1702：出力パワー、及び、予め保存された出力パワーと数値Nとの対応関係に基づいて数値Nを確定し；
ステップ1703：数値N及びクロック信号に基づいてパルス幅変調信号を生成する。
【００９２】
本実施例では、ステップ1701〜ステップ1703の具体的な実現方法については、実施例2中のパワーマッピング器601、処理器602、記憶器603、及びカウンター604の実現方法の説明を参照することができる。
【００９３】
図18は、本発明の実施例5に係るパルス幅変調信号を生成する方法の他のフローチャートである。図18に示すように、該パルス幅調整信号の生成方法は、次のステップを含む。
【００９４】
ステップ1801：バンド内パワーを反映する電圧信号に対して平均化処理を行い、平均化電圧信号を出力し；
ステップ1802：平均化電圧信号に対して増幅処理を行い、増幅信号を生成し；
ステップ1803：パルス幅変調信号と同じ周波数を有する三角波を生成し；
ステップ1804：増幅信号の振幅と、三角波の振幅とを比較し、パルス幅変調信号を生成する。
【００９５】
本実施例では、ステップ1801〜ステップ1804の具体的な実現方法については、実施例3中の信号平均化器801、信号利得器802、三角波生成器803、及び比較器804の実現方法の説明を参照することができる。
【００９６】
本発明の実施例に係るデジタルプレディストーション送信機の制御方法により、パワートラッキングの方式に基づいて大電力増幅器ドレインバイアス電圧を調整することができ、該方法は、パワー変化レートへの要求が高くなく、且つ、正確な大電力増幅器の出力パワー値を得ることができ；且つ、フィードバックにより得られたバンド内パワーに基づいて、デジタル域において1bitのPWM制御信号を生成することができる。よって、このような方法は、簡単で且つ容易に実現することができ、また、DACの使用を避けることができ、システムのハードウェアコストを軽減することができる。また、デジタルプレディストーション送信機は更に、処理後のフィードバック信号のバンド外パワーを用いてプレディストーションユニットが使用するプレディストーション係数を更新することにより、動的バイアス電圧による大電力増幅器の非線形特性を改善することができるのみならず、大電力増幅器の効率をより一層向上させることもできる。
【実施例６】
【００９７】
本発明の実施例は、デジタルプレディストーション送信機の制御方法を提供し、それは、実施例4のデジタルプレディストーション送信機に対応し、そのうち、実施例4とは同じ内容は省略する。
【００９８】
本実施例のデジタルプレディストーション送信機の制御方法では、パルス幅変調信号を生成する時に、送信機の出力パワー及び環境温度をともに考慮する。
【００９９】
図19は、本発明の実施例6に係るパルス幅変調信号を生成する方法のフローチャートであり、該方法は、次のステップを含む。
【０１００】
ステップ1901：環境温度を検出し；
ステップ1902：バンド内パワーを大電力増幅器の出力パワーにマッピングし；
ステップ1903：前記出力パワー、前記環境の温度、並び、予め保存された前記出力パワー、環境温度、及び数値Nの間の対応関係に基づいて数値Nを確定し；
ステップ1904：数値N及びクロック信号に基づいてパルス幅変調信号を生成する。
【０１０１】
本実施例では、ステップ1901〜ステップ1904の具体的な実現方法は、実施例4の温度センサー1001、パワーマッピング器601、処理器702、記憶器703及びカウンター604の具体的な実現方法を参照することができる。
【０１０２】
図20は、本発明の実施例6に係るパルス幅変調信号を生成する方法の他のフローチャートであり、該方法は、次のステップを含む。
【０１０３】
ステップ2001：環境温度を検出し；
ステップ2002：バンド内パワーを反映する電圧信号に対して平均化処理を行い、平均化電圧信号を出力し；
ステップ2003：平均化電圧、環境温度、並びに、平均化電圧信号、環境温度、及び利得係数の間の対応関係にも基づいて利得係数を確定し、そして、利得係数に基づいて平均化電圧信号に対して増幅処理を行い、増幅信号を生成し；
ステップ2004：パルス幅変調信号と同じ周波数を有する三角波を生成し；
ステップ2005：前記増幅信号の振幅と、前記三角波の振幅とを比較し、パルス幅変調信号を生成する。
【０１０４】
本実施例では、ステップ2001〜ステップ2005の具体的な実現方法については、実施例4の温度センサー1001、信号平均化器801、信号利得器902、三角波生成器803、比較器804及び記憶器905の具体的な実現方法を参照することができる。
【０１０５】
本実施例では、バンド内パワー及び温度センサーにより検出された環境温度に基づいて、パルス幅変調信号を生成し、そして、動的ドレインバイアス電圧を生成することができ、これにより、送信機のパワー及び環境温度に基づいて動的ドレインバイアス電圧を調整することができる。
【０１０６】
本発明の上述の送信機（装置）及び方法は、ハードウェアにより実現されてもよく、ハードウェアとソフトウェアとの組み合わせにより実現されてもよい。また、本発明は、このようなコンピュータ可読なプログラムにも関し、即ち、前記プログラムは、ロジック部により実行されている時に、前記ロジック部に、上述の装置又は構成部品を実現させることができ、又は、前記ロジック部に、上述の各種方法又はステップを実現させることができる。本発明は、さらに、上述のプログラムを記録している記憶媒体、例えば、ハードディスク、磁気ディスク、光ディスク、DVD、flashメモリなどにも関する。
【０１０７】
また、上述の各実施例を含む実施形態に関し、更に以下の付記を開示する。
【０１０８】
（付記1）
デジタルプレディストーション送信機であって、
プレディストーション処理に必要なプレディストーション係数を更新し、ベースバンド信号に対して前記プレディストーション処理を行うプレディストーションユニット；
前記プレディストーション処理後のベースバンド信号に対して信号処理及び送信を行う信号処理及び送信ユニット；及び
前記信号処理及び送信ユニットが送信した信号のフィードバック信号を処理し、処理後の前記フィードバック信号を用いて、前記信号処理及び送信ユニット中の大電力増幅器に動的ドレイン電圧を提供するフィードバック信号処理ユニットを含み、
そのうち、前記プレディストーションユニットは、前記フィードバック信号処理ユニットが処理した後の前記フィードバック信号を用いて前記プレディストーション係数を更新する、送信機。
【０１０９】
（付記2）
付記1に記載のデジタルプレディストーション送信機であって、
前記フィードバック信号処理ユニットは、
前記フィードバック信号を、中心周波数がゼロ（zero）であるベースバンド信号に変換する周波数混合器；
前記周波数混合器処理後の前記フィードバック信号のバンド内パワー、又は、前記バンド内パワーを反映する電圧信号、及び、バンド外パワーを計算するパワー計算器であって、前記バンド外パワーは、前記プレディストーション係数を更新するために用いられる、パワー計算器；
前記バンド内パワー、又は、前記バンド内パワーを反映する電圧信号に基づいて、パルス幅変調信号を生成するパルス幅変調信号生成器；及び
前記パルス幅変調信号に基づいて、前記動的ドレイン電圧を生成する降圧型変換器を含む、送信機。
【０１１０】
（付記3）
付記2に記載のデジタルプレディストーション送信機であって、
前記パルス幅変調信号生成器は、
前記バンド内パワーを前記大電力増幅器の出力パワーにマッピングするパワーマッピング器；
前記出力パワー、及び、予め保存された前記出力パワーと数値Nとの対応関係に基づいて前記数値Nを確定する処理器であって、Nは、M個の連続するクロックシーケンス中のハイレベルの数を表し、Mは、クロック信号の周波数をパルス幅変調信号周波数で除算することにより得られた値を表し、M及びNは、ゼロよりも大きい整数である、処理器；
前記出力パワーと前記数値Nとの対応関係を記憶する記憶器；及び
前記数値N及び前記クロック信号に基づいて前記パルス幅変調信号を生成するカウンターを含む、送信機。
【０１１１】
（付記4）
付記2に記載のデジタルプレディストーション送信機であって、
前記パルス幅変調信号生成器は、
前記バンド内パワーを反映する電圧信号に対して平均化処理を行い、平均化電圧信号を出力する信号平均化器；
前記平均化電圧信号に対して増幅処理を行い、増幅信号を生成する信号利得器；
前記パルス幅変調信号と同じ周波数を有する三角波を生成する三角波生成器；及び
前記増幅信号の振幅と、前記三角波の振幅とを比較し、前記パルス幅変調信号を生成する比較器を含む、送信機。
【０１１２】
（付記5）
付記2に記載のデジタルプレディストーション送信機であって、
環境温度を検出する温度センサーを更に含み、
前記パルス幅変調信号生成器は、更に、前記バンド内パワー又は前記バンド内パワーを反映する電圧信号、及び、前記温度センサーにより検出された温度に基づいて、前記パルス幅変調信号を生成する、送信機。
【０１１３】
（付記6）
付記3に記載のデジタルプレディストーション送信機であって、
前記パルス幅変調信号生成器は、
環境温度を検出する温度センサーを更に含み、
前記処理器は、前記出力パワー、前記環境温度、並びに、予め保存された前記出力パワー、前記環境温度、及び数値Nの間の対応関係に基づいて前記数値Nを確定する、送信機。
【０１１４】
（付記7）
付記4に記載のデジタルプレディストーション送信機であって、
前記パルス幅変調信号生成器は、
環境温度を検出する温度センサーを更に含み、
前記信号利得器は、前記平均化電圧信号、前記環境温度、並びに、前記平均化電圧信号、前記環境温度、及び利得係数との間の対応関係に基づいて利得係数を確定し、前記利得係数に基づいて前記平均化電圧信号に対して増幅処理を行い、前記増幅信号を生成する、送信機。
【０１１５】
（付記8）
付記2に記載のデジタルプレディストーション送信機であって、
前記パワー計算器は、
前記周波数混合器処理後の前記フィードバック信号に対してローパスフィルタリングを行うローパスフィルタ；
前記ローパスフィルタリング後の信号に基づいて、バンド内パワー又は前記バンド内パワーを反映する電圧信号を計算する第一パワー計算器；
前記周波数混合器処理後の前記フィードバック信号に基づいてバンドパスフィルタリングを行うバンドパスフィルタ；及び
前記バンドパスフィルタリング後の信号に基づいてバンド外パワーを計算する第二パワー計算器を含む、送信機。
【０１１６】
（付記9）
付記2に記載のデジタルプレディストーション送信機であって、
前記パワー計算器は、
前記周波数混合器処理後の前記フィードバック信号に対してアナログデジタル変換を行い、デジタルサンプリング信号を生成するアナログデジタル変換器；
前記デジタルサンプリング信号に対して高速フーリエ変換を行う高速フーリエ変換器；
前記高速フーリエ変換後の信号に基づいて前記バンド内パワーを計算するバンド内パワー計算器；及び
前記高速フーリエ変換後の信号に基づいて前記バンド外パワーを計算するバンド外パワー計算器を含む、送信機。
【０１１７】
（付記10）
付記2、8又は9に記載のデジタルプレディストーション送信機であって、
前記バンド外パワーは、バンド外三次パワーである、送信機。
【０１１８】
（付記11）
デジタルプレディストーション送信機の制御方法であって、
プレディストーション処理に必要なプレディストーション係数を更新し、ベースバンド信号に対して前記プレディストーション処理を行い；
前記プレディストーション処理後のベースバンド信号に対して信号処理及び送信を行い；及び
前記送信された信号のフィードバック信号に対して処理を行い、処理後の前記フィードバック信号を用いて、前記信号処理を行うための大電力増幅器に動的ドレイン電圧を提供すあることを含み、
処理後の前記フィードバック信号を用いて、前記プレディストーション係数を更新する、方法。
【０１１９】
（付記12）
付記11に記載のデジタルプレディストーション送信機の制御方法であって、
前記送信された信号のフィードバック信号に対して処理を行い、処理後の前記フィードバック信号を用いて前記信号処理を行うための大電力増幅器に動的ドレイン電圧を提供することは、
前記フィードバック信号に対して周波数混合処理を行い、前記フィードバック信号を、中心周波数がゼロであるベースバンド信号に変換し；
前記周波数混合処理後の前記フィードバック信号のバンド内パワー又は前記バンド内パワーを反映する電圧信号を計算し；
前記バンド内パワー又は前記バンド内パワーを反映する電圧信号に基づいてパルス幅変調信号を生成し；及び
前記パルス幅変調信号に基づいて前記動的ドレイン電圧を生成することを含む、方法。
【０１２０】
（付記13）
付記12に記載のデジタルプレディストーション送信機の制御方法であって、
前記バンド内パワーに基づいてパルス幅変調信号を生成することは、
前記バンド内パワーを前記大電力増幅器の出力パワーに変換し；
前記出力パワー、及び、予め保存された前記出力パワーと数値Nとの対応関係に基づいて、前記数値Nを確定し、そのうち、Nは、M個の連続するクロックシーケンス中のハイレベルの数を表し、Mは、クロック信号の周波数をパルス幅変調信号周波数で除算することにより得られた値を表し、M及びNは、ゼロよりも大きい整数であり；及び
前記数値N及び前記クロック信号に基づいて前記パルス幅変調信号を生成することを含む、方法。
【０１２１】
（付記14）
付記12に記載のデジタルプレディストーション送信機の制御方法であって、
前記バンド内パワーを反映する電圧信号に基づいてパルス幅変調信号を生成することは、
前記バンド内パワーを反映する電圧信号に対して平均化処理を行い、平均化電圧信号を出力し；
前記平均化電圧信号に対して増幅処理を行い、増幅信号を生成し；
前記パルス幅変調信号と同じ周波数を有する三角波を生成し；及び
前記増幅信号の振幅と、前記三角波の振幅とを比較し、前記パルス幅変調信号を生成することを含む、方法。
【０１２２】
（付記15）
付記12に記載のデジタルプレディストーション送信機の制御方法であって、
環境温度を検出することを更に含み、
前記バンド内パワー又は前記バンド内パワーを反映する電圧信号、及び、検出された前記環境温度に基づいて前記パルス幅変調信号を生成する、方法。
【０１２３】
（付記16）
付記13に記載のデジタルプレディストーション送信機の制御方法であて、
前記バンド内パワーに基づいてパルス幅変調信号を生成することは、
環境温度を検出することを更に含み、
前記出力パワー、前記環境温度、並びに、及び予め保存された前記出力パワー、前記環境の温度、及び数値Nの間の対応関係に基づいて、前記数値Nを確定する、方法。
【０１２４】
（付記17）
付記14に記載のデジタルプレディストーション送信機の制御方法であって、
前記バンド内パワーを反映する電圧信号に基づいてパルス幅変調信号を生成することは、
環境温度を検出することを含み、
前記平均化電圧信号、前記環境の温度、並びに、前記平均化電圧信号、前記環境温度、及び利得係数の間の対応関係に基づいて利得係数を確定し、前記利得係数に基づいて前記平均化電圧信号に対して増幅処理を行い、前記増幅信号を生成する、方法。
【０１２５】
（付記18）
付記12に記載のデジタルプレディストーション送信機の制御方法であって、
前記周波数混合処理後の前記フィードバック信号のバンド内パワー又は前記バンド内パワーを反映する電圧信号を計算することは、
前記周波数混合処理後の前記フィードバック信号に対してローパスフィルタリングを行い；及び
前記ローパスフィルタリング後の信号に基づいて、バンド内パワー又は前記バンド内パワーを反映する電圧信号を計算することを含む、方法。
【０１２６】
（付記19）
付記12に記載のデジタルプレディストーション送信機の制御方法であって、
前記周波数混合処理後の前記フィードバック信号のバンド内パワーを計算することは、
前記周波数混合処理後の前記フィードバック信号に対してアナログデジタル変換を行い、デジタルサンプリング信号を生成し；
前記デジタルサンプリング信号に対して高速フーリエ変換を行い；及び
前記高速フーリエ変換後の信号に基づいて前記バンド内パワーを計算することを含む、方法。
【０１２７】
（付記20）
付記12に記載のデジタルプレディストーション送信機の制御方法であって、
前記周波数混合処理後の前記フィードバック信号のバンド外パワーを計算することを更に含み、
前記バンド外パワーは、前記プレディストーション係数を更新するために用いられる、方法。
【０１２８】
（付記21）
付記18に記載のデジタルプレディストーション送信機の制御方法であって、
前記周波数混合処理後の前記フィードバック信号に対してバンドパスフィルタリングを行い；及び
前記バンドパスフィルタリング後の信号に基づいてバンド外パワーを計算することを更に含み、
前記バンド外パワーは、前記プレディストーション係数を更新するために用いられる、方法。
【０１２９】
（付記22）
付記19に記載のデジタルプレディストーション送信機の制御方法であって、
前記高速フーリエ変換後の信号に基づいてバンド外パワーを計算することを更に含み、
前記バンド外パワーは、前記プレディストーション係数を更新するために用いられる、方法。
【０１３０】
（付記23）
付記20〜22の任意の一項に記載のデジタルプレディストーション送信機の制御方法であって、
前記バンド外パワーは、バンド外三次パワーである、方法。
【０１３１】
（付記24）
コンピュータ可読プログラムであって、
送信機において前記プログラムを実行する時に、前記プログラムは、コンピュータに、前記送信機において付記11ないし付記23中の任意の一項に記載のデジタルプレディストーション送信機の制御方法を実行させるためのプログラム。
【０１３２】
（付記25）
付記24に記載のコンピュータ可読程序を記憶した記憶媒体。
【０１３３】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2015056900.tif 000003
【図２】
2015056900.tif 000004
【図３】
2015056900.tif 000005
【図４】
2015056900.tif 000006
【図５】
2015056900.tif 000007
【図６】
2015056900.tif 000008
【図７】
2015056900.tif 000009
【図８】
2015056900.tif 000010
【図９】
2015056900.tif 000011
【図１０】
2015056900.tif 000012
【図１１】
2015056900.tif 000013
【図１２】
2015056900.tif 000014
【図１３】
2015056900.tif 000015
【図１４】
2015056900.tif 000016
【図１５】
2015056900.tif 000017
【図１６】
2015056900.tif 000018
【図１７】
2015056900.tif 000019
【図１８】
2015056900.tif 000020
【図１９】
2015056900.tif 000021
【図２０】
2015056900.tif 000022